(57)【要約】【課題】歪みが異なる撮像光学系と交換される場合でも、被写体像の歪みを適切に補正すること。【解決手段】撮像装置１は、撮像光学系２を介して被写体像を撮像し、画素信号を出力する撮像素子１２と、撮像素子１２の撮像面１２ａに矩形の第１有効撮像領域を設定する第１設定手段１６と、撮像面１２ａに第１有効撮像領域を包含して該第１有効撮像領域より大きな矩形の第２有効撮像領域を設定する第２設定手段１６と、撮像光学系２による被写体像の歪みを画像処理によって補正する歪み補正手段１４と、歪み補正後の画像が第１有効撮像領域に対応する画像より小さい場合に第１有効撮像領域の外側であって第２有効撮像領域に含まれる画素信号を用いて補間する補間手段１４と、を備える。【選択図】図１
2013251618.tif 000002
【特許請求の範囲】
【請求項１】
撮像光学系を介して被写体像を撮像し、画素信号を出力する撮像素子と、
前記撮像素子の撮像面に矩形の第１有効撮像領域を設定する第１設定手段と、
前記撮像面に前記第１有効撮像領域を包含して該第１有効撮像領域より大きな矩形の第２有効撮像領域を設定する第２設定手段と、
前記撮像光学系による被写体像の歪みを画像処理によって補正する歪み補正手段と、
前記歪み補正後の画像が前記第１有効撮像領域に対応する画像より小さい場合に前記第１有効撮像領域の外側であって前記第２有効撮像領域に含まれる画素信号を用いて補間する補間手段と、
を備えることを特徴とする撮像装置。
【請求項２】
請求項１に記載の撮像装置において、
前記歪み補正手段は、前記撮像光学系の光学特性に起因する前記被写体像の歪みを画像処理によって補正することを特徴とする撮像装置。
【請求項３】
請求項１または２に記載の撮像装置において、
前記歪み補正手段は、前記撮像光学系の歪曲収差に起因する前記被写体像の歪みを画像処理によって補正することを特徴とする撮像装置。
【請求項４】
請求項１〜３のいずれか一項に記載の撮像装置において、
前記第２設定手段は、前記第２有効撮像領域の範囲を前記撮像光学系の焦点距離に応じて異ならせることを特徴とする撮像装置。
【請求項５】
請求項１〜４のいずれか一項に記載の撮像装置において、
前記第２設定手段は、前記第２有効撮像領域の４つの頂点が少なくとも前記撮像光学系のイメージサークルより内側に位置するように前記第２有効撮像領域を設定することを特徴とする撮像装置。
【請求項６】
撮像光学系を介して撮像された画像を入力する画像入力処理と、
前記画像に矩形の第１有効撮像領域を設定する第１設定処理と、
前記画像に前記第１有効撮像領域を包含して該第１有効撮像領域より大きな矩形の第２有効撮像領域を設定する第２設定処理と、
前記撮像光学系による被写体像の歪みを画像処理によって補正する歪み補正処理と、
前記歪み補正後の画像が前記第１有効撮像領域に対応する画像より小さい場合に前記第１有効撮像領域の外側であって前記第２有効撮像領域に含まれる画素信号を用いて補間する補間処理と、
をコンピュータに実行させることを特徴とする画像処理プログラム。
【発明の詳細な説明】
【技術分野】
【０００１】
本発明は、撮像装置および画像処理プログラムに関する。
【背景技術】
【０００２】
撮影レンズが有する収差特性によって生じる画像の歪曲を抑えるために、撮像面上において中央部から辺縁部に向けて光電変換部の密度を徐々に異ならせた固体撮像素子が知られている（特許文献１参照）。
【先行技術文献】
【特許文献】
【０００３】
【特許文献１】特開２００８−５１３７号公報
【発明の概要】
【発明が解決しようとする課題】
【０００４】
従来技術では、歪み特性が異なる撮像光学系と交換する場合への適用が困難という問題があった。
【課題を解決するための手段】
【０００５】
本発明による撮像装置は、撮像光学系を介して被写体像を撮像し、画素信号を出力する撮像素子と、撮像素子の撮像面に矩形の第１有効撮像領域を設定する第１設定手段と、撮像面に第１有効撮像領域を包含して該第１有効撮像領域より大きな矩形の第２有効撮像領域を設定する第２設定手段と、撮像光学系による被写体像の歪みを画像処理によって補正する歪み補正手段と、歪み補正後の画像が第１有効撮像領域に対応する画像より小さい場合に第１有効撮像領域の外側であって第２有効撮像領域に含まれる画素信号を用いて補間する補間手段と、を備えることを特徴とする。
【発明の効果】
【０００６】
本発明によれば、歪みが異なる撮像光学系と交換される場合でも、被写体像の歪みを適切に補正できる。
【図面の簡単な説明】
【０００７】
【図１】本発明の一実施の形態によるデジタルカメラシステムの構成を例示するブロック図である。
【図２】撮像素子の撮像面を説明する図である。
【図３】樽型歪曲収差を例示する図である。
【図４】従来の有効撮像領域と、これより上下左右に広い本実施形態の有効撮像領域を例示するである。
【図５】糸巻型歪曲収差を例示する図である。
【図６】撮影処理の流れを例示するフローチャートである。
【図７】歪曲補正処理の流れを例示するフローチャートである。
【図８】パースペクティブ効果を例示する図である。
【図９】従来の有効撮像領域と、これより上下左右に広い本実施形態の有効撮像領域を例示するである。
【図１０】コンピュータを例示する図である。
【発明を実施するための形態】
【０００８】
以下、図面を参照して本発明を実施するための形態について説明する。図１は、本発明の一実施の形態によるデジタルカメラシステムの構成を例示するブロック図である。図１において、カメラボディ１に対して着脱可能に構成される交換レンズ２は、撮像素子１２の撮像面１２ａに被写体像を結像させる。交換レンズ２は、撮影レンズ３およびレンズ駆動部４を含む。
【０００９】
撮影レンズ３はフォーカシングレンズおよびズームレンズを含む複数のレンズ群で構成されているが、図１では単レンズとして図示する。レンズ駆動部４は、後述するＣＰＵ１６からの指示によってフォーカシングレンズを光軸方向に進退移動させる。なお、本説明ではレンズ交換可能なカメラシステムを例示するが、撮影レンズ３とカメラボディ１とを一体にした（交換不能な）カメラとして構成してもよい。その場合、図１における撮影レンズ３およびレンズ駆動部４は、カメラ側に含まれることになる。
【００１０】
ＣＰＵ１６は、図示しないシャッターボタンの半押し操作に連動して半押しスイッチ２０ａがオンすると、オートフォーカス（ＡＦ）処理を行って撮影レンズ３による焦点位置を自動調節させる。フォーカシングレンズ（不図示）の駆動は、ＣＰＵ１６から指示を受けたレンズ駆動部４が行う。
【００１１】
ズームレンズは、図示しないズーム環が操作された場合に光軸方向に進退移動するように構成されている。これによって撮影画角が変化する。レンズ駆動部４には図示しないエンコーダが設けられており、ズームレンズ位置（すなわち焦点距離）を示す信号をＣＰＵ１６へ送出する。
【００１２】
撮像素子１２は、ＣＭＯＳイメージセンサなどによって構成される。撮像素子１２は、撮像面１２ａ上に結像された被写体像をアナログ撮像信号に光電変換する。Ａ／Ｄ変換部１３は、光電変換信号をデジタルデータに変換する。画像処理部１４は、デジタル画像データに所定の画像処理を施す。
【００１３】
液晶モニタ１５は、ＣＰＵ１６からの指示に応じて、画像や操作メニュー画面を表示する。不揮発性メモリ１７は、ＣＰＵ１６が実行するプログラムや、実行処理に必要なデータなどを格納する。不揮発性メモリ１７が格納するプログラムやデータの内容は、ＣＰＵ１６からの指示によって追加、変更が可能に構成されている。ＣＰＵ１６は、例えばバッファメモリ１８を作業領域として制御プログラムを実行し、カメラ各部に対する種々の制御を行う。バッファメモリ１８は、デジタル画像データを一時的に記憶する場合にも使用される。
【００１４】
画像処理部１４はさらに、画像データを格納した所定形式の画像ファイルを生成する。記録再生部１９は、ＣＰＵ１６からの指示に基づいて画像ファイルをメモリカード５０に記録し、また、メモリカード５０に記録されている画像ファイルを読出す。
【００１５】
メモリカード５０は、図示しないカードスロットに着脱自在に取り付けられる記録媒体である。ＣＰＵ１６は、記録再生部１９によってメモリカード５０から読出された画像ファイルに基づいて、液晶モニタ１５に撮影画像を再生表示させる。
【００１６】
操作部材２０は、上記半押しスイッチ２０ａや、シャッターボタンの全押し操作に伴ってオンする全押しスイッチ２０ｂ、およびモード切替スイッチなどを含み、各部材の操作に伴う操作信号をＣＰＵ１６へ送出する。
【００１７】
半押しスイッチ２０ａからのオン信号（半押し操作信号）は、シャッターボタンが通常ストロークの半分程度まで押し下げ操作されると出力され、半ストロークの押し下げ操作解除で出力が解除される。全押しスイッチ２０ｂからのオン信号（全押し操作信号）は、シャッターボタンが通常ストロークまで押し下げ操作されると出力され、通常ストロークの押し下げ操作が解除されると出力が解除される。
【００１８】
本実施形態は、撮像素子１２において光電変換素子（画素）が配されている有効撮像領域の大きさ、および有効撮像領域のうち辺縁部に位置する画素からの読出しデータの取り扱いに特徴を有するので、以下の説明はこの点を中心に行う。
【００１９】
＜画像に対する歪曲補正＞
図２は、撮像素子１２の撮像面１２ａを説明する図である。図２において、領域３１は従来技術で用いられている撮像素子の有効撮像領域に相当し、例えば３５mm版カメラの場合は３６mm（水平）×２４mm（垂直）である。本実施形態の撮像素子１２は、領域３１より上下左右に広い領域３２（例えば５０mm×３４mm）の有効撮像領域を有し、領域３２内においても領域３１内と同様に均等間隔で画素が設けられている。なお、交換レンズ２は、領域３２の４頂点をカバーするようにイメージサークルが設定されている。
【００２０】
領域３２の広さは、交換レンズ２を構成する撮影レンズ３の収差特性を画像処理によって補正する場合の補正マージンとして必要な範囲を含めるように定められている。すなわち、レンズ収差に起因する歪曲を補正する際に、領域３１より外側の領域３２に位置する画素からの読出しデータを用いる。
【００２１】
具体的には、領域３１の画素によって得られた画像に含まれる歪曲を補正することにより、補正後の画像が領域３１より小さくなってしまう場合に、領域３１のサイズに満たない領域のデータを領域３１の外側に位置する領域３２の画素からの読出しデータを用いて補間する。例えば、撮影レンズ３の構成によって図３に例示する樽型歪曲収差が生じている場合の歪曲補正は、領域３１の画素からの読出しデータに対して樽型の膨らみを抑えるように歪曲補正を行う。この歪曲補正によって画像が上下方向および左右方向に圧縮される結果、歪曲補正後の画像４１（図４）は上下左右で領域３１のサイズより小さくなってしまう。
【００２２】
そこで、図４に例示するように、領域３１より外側に位置する領域３２のうち専ら上下左右の領域ｂ１、ｂ２、ｂ３、ｂ４に位置する画素からの読出し信号を用いて上記領域３１のサイズに対して不足する領域を補間することにより、領域３１と同等の範囲を有する矩形の補正画像を得る。このような歪曲補正と補間処理は、ＣＰＵ１６の指示を受けた画像処理部１４が行う。
【００２３】
また、例えば、撮影レンズ３の構成によって図５に例示する糸巻き型歪曲収差が生じている場合の歪曲補正は、領域３１の画素からの読出しデータに対して糸巻き型の窪みを抑えるように歪曲補正を行う。この歪曲補正によって画像が対角線方向に圧縮される結果、歪曲補正後の画像の四隅が領域３１のサイズより小さくなってしまう。
【００２４】
そこで、図４に例示するように、領域３１より外側に位置する領域３２のうち専ら四隅に位置する領域ａ１、ａ２、ａ３、ａ４に位置する画素からの読出し信号を用いて上記領域３１のサイズに対して不足する領域を補間することにより、領域３１と同等の範囲を有する矩形の補正画像を得る。このような歪曲補正と補間処理も、ＣＰＵ１６の指示を受けた画像処理部１４が行う。
【００２５】
上記歪曲補正および補間処理は、後述する撮影処理において撮像素子１２から読出されると実行される。なお、歪曲補正および補間処理を自動的に行うか否かは、例えばカメラボディ１のメニュー設定によって切替え可能に構成される。
【００２６】
＜撮影処理＞
歪曲補正および補間処理を自動的に行う設定がなされた場合のＣＰＵ１６が実行する撮影処理の流れについて、図６に例示するフローチャートを参照して説明する。ＣＰＵ１６は、電源オン操作されると図６による処理を起動させる。図６のステップＳ１０において、ＣＰＵ１６は液晶モニタ１５にライブビュー画像の表示を開始させてステップＳ２０へ進む。ＣＰＵ１６は、例えば６０フレーム／秒(60fps)のフレームレートで撮像素子１２に被写体像を撮像させ、取得された画像データに基づく再生画像を液晶モニタ１５に逐次表示させる。取得した画像データは、後述するＡＦ処理や露出演算にも用いる。
【００２７】
ステップＳ２０において、ＣＰＵ１６はシャッターボタンが半押し操作されたか否かを判定する。ＣＰＵ１６は、半押しスイッチ２０ａから半押し操作信号が入力された場合にステップＳ２０を肯定判定してステップＳ３０へ進み、半押し操作信号が入力されない場合には、ステップＳ２０を否定判定してステップＳ１４０へ進む。
【００２８】
ステップＳ１４０において、ＣＰＵ１６はタイムアップか否かを判定する。ＣＰＵ１６は、操作部材２０から操作信号が入力されない状態が所定時間（例えば５秒）続いた場合に、ステップＳ１４０を肯定判定して図６による処理を終了する。ＣＰＵ１６は、このようなタイマーオフ時に各ブロックへの電源供給を停止させる。一方、ＣＰＵ１６は、操作部材２０から操作信号が入力されない状態が所定時間に満たない場合には、ステップＳ１４０を否定判定してステップＳ２０へ戻る。
【００２９】
ステップＳ３０において、ＣＰＵ１６は交換レンズ２から焦点距離情報（例えば、交換レンズ２の種類、レンズの個別データおよび設定されている焦点距離（単焦点レンズの場合はその焦点距離）を示す情報）を入力してステップＳ４０へ進む。ステップＳ４０において、ＣＰＵ１６は、撮影レンズ３による焦点を自動調節するＡＦ処理を行ってステップＳ５０へ進む。ＡＦ処理は、例えば上記ライブビュー表示のために取得される画像のコントラストを最大にするようにフォーカシングレンズを進退移動させるコントラスト検出方式によって行う。
【００３０】
ステップＳ５０において、ＣＰＵ１６は所定の露出演算を行う。露出演算は、上記ライブビュー表示のために取得される画像信号値に基づいて適正露出が得られるように演算される。ステップＳ６０において、ＣＰＵ１６はシャッターボタンが全押し操作されたか否かを判定する。ＣＰＵ１６は、全押しスイッチ２０ｂから全押し操作信号が入力された場合にステップＳ６０を肯定判定してステップＳ７０へ進み、全押し操作信号が入力されない場合には、ステップＳ６０を否定判定してステップＳ２０へ戻る。
【００３１】
ステップＳ７０において、ＣＰＵ１６は上記露出演算に基づく絞り値へ図示しない絞りを制御してステップＳ８０へ進む。ステップＳ８０において、ＣＰＵ１６は上記露出演算に基づく露出時間で撮像を行うように、撮像素子１２の電子シャッター制御を行ってステップＳ９０へ進む。ステップＳ９０において、ＣＰＵ１６は、撮像素子１２の各画素から信号を読出してステップＳ１００へ進む。なお、ステップＳ８０およびＳ９０においては、撮像素子１２の領域３１内だけでなく、領域３２内に配されている画素からの信号も読出すように撮像および光電変換信号の読出しを制御する。
【００３２】
ステップＳ１００において、ＣＰＵ１６は画像処理部１４へ指示を送り、ステップＳ９０において読出したデータに基づく画像に対し、ステップＳ３０で入力した焦点距離情報に基づく歪曲補正処理を行わせる。
【００３３】
図７は、歪曲補正処理の流れを例示するフローチャートである。図７のステップＳ１において、ＣＰＵ１６はレンズ情報を参照することにより、カメラボディ１に装着されている交換レンズ２のデータ、および交換レンズ２に設定されている焦点距離を得る。レンズ情報は、上記ステップＳ３０で入力してバッファメモリ１８に記憶されているものを用いる。絞り値やフォーカス情報は最新のものを用いる。
【００３４】
ステップＳ２において、ＣＰＵ１６は、レンズの歪曲が樽型か糸巻型かを判定する。ＣＰＵ１６は、上記レンズ情報に含まれる交換レンズ２の種類に応じて判定を行う。樽型か糸巻型であるかを示す情報も、交換レンズ２から取得した情報に含まれている。
【００３５】
ステップＳ３において、ＣＰＵ１６は、撮影レンズ３の焦点距離に応じて歪曲補正の強弱を決める処理パラメータを設定する。交換レンズ２の撮影レンズ３が固定焦点の場合は、交換レンズ２の種類に対応する処理パラメータを不揮発性メモリ１７から読出して設定する。交換レンズ２がズームレンズの場合は、上記レンズ情報に含まれる、設定されている焦点距離に対応する処理パラメータを不揮発性メモリ１７から読出して設定する。焦点距離と処理パラメータとを関連づける情報を、例えばルックアップテーブル情報として交換レンズ２から読み取るように構成してもよい。
【００３６】
ステップＳ４において、ＣＰＵ１６は、歪曲補正後の補間に必要な辺縁部を設定（補間処理に用いる領域３２の範囲を決める）して画像処理部１４へ指示する。歪曲補正後の補間とは、上記領域３１のサイズに不足する領域を上記領域３２の画素からの読出しデータで埋める処理である。焦点距離と辺縁部の設定範囲とを関連づける情報を、例えばルックアップテーブル情報として交換レンズ２から読み取るように構成してもよい。
【００３７】
ステップＳ５において、ＣＰＵ１６は画像処理部１４へ指示を送り、上記設定したパラメータを用いて歪曲補正処理を行わせてステップＳ６へ進む。ステップＳ６において、ＣＰＵ１６は画像処理部１４へ指示を送り、上記設定した辺縁部からの読出しデータを用いて補間処理を行わせ、図７のステップＳ１１０へ進む。
【００３８】
ステップＳ１１０において、ＣＰＵ１６は画像処理部１４へ指示を送り、歪曲補正（補間を含む）後の画像に対し、所定の画像処理を行わせてステップＳ１１０へ進む。この画像処理は、通常のホワイトバランス処理や輪郭強調処理などである。
【００３９】
ステップＳ１２０において、ＣＰＵ１６は画像処理後の画像を液晶モニタ１５に表示させてステップＳ１３０へ進む。ステップＳ１３０において、ＣＰＵ１６は記録再生部１９へ指示を送り、画像ファイルをメモリカード５０に記録させて図６による処理を終了する。
【００４０】
上述した実施形態によれば、次の作用効果が得られる。
（１）カメラボディ１は、交換レンズ２を介して被写体像を撮像し、画素信号を出力する撮像素子１２と、撮像素子１２の撮像面１２ａに矩形の有効撮像領域３１を設定するＣＰＵ１６と、撮像面１２ａに有効撮像領域３１を包含して該第１有効撮像領域３１より大きな矩形の第２有効撮像領域３２を設定するＣＰＵ１６と、交換レンズ２による被写体像の歪みを画像処理によって補正する画像処理部１４と、歪み補正後の画像が第１有効撮像領域３１に対応する画像より小さい場合に第１有効撮像領域３１の外側であって第２有効撮像領域３２に含まれる画素信号を用いて補間する画像処理部１４と、を備えるようにした。これにより、歪み特性が異なる交換レンズ２と交換される場合でも、被写体像の歪みを適切に補正できる。加えて、歪み補正後の画像が第１有効撮像領域３１に対応する画像より小さい場合に第１有効撮像領域３１の外側の領域３２の画素信号を用いて補間するので、歪み補正後の画像が撮影者の意図した大きさより小さくなってしまうことを防止できる。特に、焦点距離が短い広角側において有効である。
【００４１】
（２）上記カメラボディ１において、画像処理部１４は、交換レンズ２の光学特性に起因する被写体像の歪みを画像処理によって補正するので、補正レンズを加えて光学的に補正する場合に比べて、交換レンズ２の構成を簡単にすることができる。
【００４２】
（３）上記カメラボディ１において、画像処理部１４は、交換レンズ２の歪曲収差に起因する被写体像の歪みを画像処理によって補正するので、補正レンズを加えて光学的に補正する場合に比べて、交換レンズ２の構成を簡単にすることができる。
【００４３】
（４）上記カメラボディ１において、ＣＰＵ１６は、第２有効撮像領域３２の範囲を交換レンズ２の焦点距離に応じて異ならせるようにしたので、第２有効撮像領域３２を必要以上に広く設定することなく、無駄のない適切な処理を行える。なお、交換レンズ２の焦点距離が所定値以下の場合にのみ適用するようにしてもよい。
【００４４】
（５）上記カメラボディ１において、ＣＰＵ１６は、第２有効撮像領域３２の４つの頂点が交換レンズ２のイメージサークルより内側に位置するように第２有効撮像領域３２を設定するので、ケラレのない適切な画素信号を用いて補間することができる。
【００４５】
（変形例１）
以上の説明では、樽型歪曲収差補正と糸巻型歪曲収差補正の場合を例に説明したが、パースペクティブ補正を行う場合にも本発明を適用することができる。すなわち、画像に生じたパースペクティブ効果を補正することにより、補正後の画像が領域３１（図９）より小さくなってしまう場合に、領域３１のサイズに対して不足する領域のデータを領域３１の外側に位置する領域３２（図９）の画素からの読出しデータを用いて補間する。
【００４６】
例えば、図８に例示するパースペクティブ効果が生じている場合の補正は、画像の下部ほど圧縮するように補正を行う。この補正によって画像の下部が水平方向および垂直方向に圧縮される結果、画像の左右と上部とで領域３１のサイズより小さくなってしまう。
【００４７】
そこで、図９に例示するように、領域３１より外側に位置する領域３２のうち専ら上部の領域ｃ１および左右の領域ｃ２、ｃ３に位置する画素からの読出し信号を用いて上記領域３１の範囲に不足する領域を補間することにより、領域３１と同等の範囲を有する矩形の補正画像を得る。このようなパースペクティブ補正と補間処理も、ＣＰＵ１６の指示を受けた画像処理部１４が行う。
【００４８】
（変形例２）
上述した実施形態では、カメラボディ１で歪曲補正（補間を含む）する例を説明したが、補正処理をパーソナルコンピュータによって実行するようにしてもよい。図１０に示すコンピュータ装置２００に図７に例示する処理を実行させることにより、画像処理装置を構成する。プログラムをパーソナルコンピュータ２００に取込んで使用する場合には、パーソナルコンピュータ２００のデータストレージ装置にプログラムをローディングした上で、当該プログラムを実行させることによって画像処理装置として使用する。
【００４９】
パーソナルコンピュータ２００に対するプログラムのローディングは、プログラムを格納したＣＤ−ＲＯＭなどの記憶媒体２０４をパーソナルコンピュータ２００にセットして行ってもよいし、ネットワークなどの通信回線２０１を経由する方法でパーソナルコンピュータ２００へローディングしてもよい。通信回線２０１を経由する場合は、通信回線２０１に接続されたサーバー（コンピュータ）２０２のハードディスク装置２０３などにプログラムを格納しておく。プログラムは、記憶媒体２０４や通信回線２０１を介する提供など、種々の形態のコンピュータプログラム製品として供給することができる。
【００５０】
なお、パーソナルコンピュータ２００が処理対象として入力する画像データは、撮像素子１２の領域３１内だけでなく、領域３２内に配されている全画素からの読出しデータを含むものとする。交換レンズ２の情報は、Exif情報から得ることができる。
【００５１】
（変形例３）
上述した説明では、領域３１より外側に位置する領域３２の画素からの読出し信号を用いて、歪曲補正によって領域３１のサイズに不足する領域を補間する例を説明した。領域３２の画素からの読出し信号は、上記歪曲補正時の補間用途に加えて、手ぶれ補正処理時の補正マージンとして用いるようにしてもよい。具体的には、手ぶれによる画面の揺動を抑える向きに画像全体をシフトする場合に、シフトする向きと反対側の画面の辺縁部が欠けないように、領域３２の画素からの読出し信号を用いて補間する。
【００５２】
（変形例４）
なお、上述した説明では、領域３２の画素からの読出し信号を画面辺縁部の補間処理時に使用するのみであったが、上記補間処理以外にも、ＣＰＵ１６が適宜読出すように構成してもよい。
【００５３】
以上の説明はあくまで一例であり、上記の実施形態の構成に何ら限定されるものではない。
【符号の説明】
【００５４】
１…カメラボディ
２…交換レンズ
３…撮影レンズ
４…レンズ駆動部
１２…撮像素子
１４…画像処理部
１５…液晶モニタ
１６…ＣＰＵ
１７…不揮発性メモリ
１８…バッファメモリ
２０…操作部材
【図１】
2013251618.tif 000003
【図２】
2013251618.tif 000004
【図３】
2013251618.tif 000005
【図４】
2013251618.tif 000006
【図５】
2013251618.tif 000007
【図６】
2013251618.tif 000008
【図７】
2013251618.tif 000009
【図８】
2013251618.tif 000010
【図９】
2013251618.tif 000011
【図１０】
2013251618.tif 000012